(57)【要約】【課題】作業性が優れ、施工時間の短い天井埋込形機器の据付装置を提供する。【解決手段】垂下された吊りボルト３に螺着する雌ねじ部（図示せず）を有すると共に雄ねじ部８ｂの先端に前記雄ねじ部８ｂの谷径より小さなボルト頭８ｃを有する上ボルト８と、前記雄ねじ部８ｂに螺着する下ナット９とを備え、天井埋込形機器の吊り金具２を、前記上ボルト８と前記下ナット９により固定吊持するようにしたもので、前記吊り金具２の下側で前記ボルト頭８ｃを操作し、前記上ボルト８の締め付けができると共に、前記ボルト頭８ｃが目視できるので、作業性が向上し施工時間を短縮することができる。【選択図】図１ 
2006017172.tif 000002
【特許請求の範囲】
【請求項１】
垂下された吊りボルトに螺着する雌ねじ部を有すると共に雄ねじ部の先端に前記雄ねじ部の谷径より小さなボルト頭を有する上ボルトと、前記雄ねじ部に螺着する下ナットとを備え、天井埋込形機器の吊り金具を、前記上ボルトと前記下ナットにより固定吊持するようにしたことを特徴とする天井埋込形機器の据付装置。
【請求項２】
雌ねじ部と雄ねじ部のねじ山ピッチを同一にしたことを特徴とする請求項１に記載の天井埋込形機器の据付装置。
【請求項３】
上ボルトの首下部に上ワッシャーを外れないように組み込んだ請求項１又は２に記載の天井埋込形機器の据付装置。
【請求項４】
上ボルトを、ねじ軸を通る面で２分割して構成することを特徴とする請求項１又は２に記載の天井埋込形機器の据付装置。
【請求項５】
上ボルトの２分割された一方の合わせ面に凸部を設け、他方の合わせ面に前記凸部が結合する凹部を形成したことを特徴とする請求項４に記載の天井埋込形機器の据付装置。
【請求項６】
上ボルトの２分割された両方の合わせ面を同一表面形状とし、ねじ軸を通り合わせ面と垂直をなす面に対し対称となる位置に、互いに結合可能な凸部と凹部を設けたことを特徴とする請求項４に記載の天井埋込形機器の据付装置。
【請求項７】
凸部の高さを、上ボルトの雌ねじ部のねじ山の高さより高く設定したことを特徴とする請求項５又は６に記載の天井埋込形機器の据付装置。
【発明の詳細な説明】
【技術分野】
【０００１】
本発明は、天井埋込形空気調和機等の天井埋込形機器の据付装置に関するものである。
【背景技術】
【０００２】
従来、この種の天井埋込形機器、例えば天井埋込形空気調和機の据付装置は、天井裏空間に吊り下げられた吊りボルトに螺着された下ナットに下ワッシャーを介して天井埋込形空気調和機の室内機の取付金具が引っ掛けられ、この下ナットの吊りボルトに対する螺着位置が調整されることにより室内機が所定位置に吊下げ支持され、上ナットで上ワッシャーを介して締め付け、確実な固定を行い、更に、この室内機の下面に化粧パネルが取付けられたものが知られている（例えば、特許文献１参照）。
【０００３】
また、化粧パネルにおける吊りボルトの鉛直下方に位置する部分に開口を形成しておき、この開口から吊下げボルトに向ってソケットレンチ等の工具を挿入してナット操作を可能にし、化粧パネルを取外すことなしに室内機の高さ位置を調整できるようにしているものもある（例えば、特許文献２参照）
図６は、特許文献１に記載された従来の天井埋込形空気調和機の据付装置を示すもので、室内機１と、吊り金具２と、吊りボルト３と、上ナット４と、上ワッシャー５と、下ナット６と、下ワッシャー７から構成されている。
【特許文献１】特開平１１−１５９８５７号公報
【特許文献２】特開平７−３２４７６９号公報
【発明の開示】
【発明が解決しようとする課題】
【０００４】
しかしながら、特許文献１に示されるような従来の構成では、室内機と天井との狭い開口に下から手を入れて、下ナットで高さ調節を行った後、上ナットを締め付けて固定するので、上ナットを締め付け固定する際には、上ナットは目視が困難であると共に、下から手を入れ吊り金具の上側を締め付け固定するため作業性が極めて悪いという課題を有していた。
【０００５】
また、特許文献２に示されるような構成では、空気調和機を吊りボルトに締めつけ後、化粧パネルのコーナー部に設けた開口を化粧蓋で覆うため、余分な部品を必要としていた。
【０００６】
本発明は、前記従来の課題を解決するもので、作業性が向上し施工時間の短縮を可能とした天井埋込形機器の据付装置を提供することを目的とする。
【課題を解決するための手段】
【０００７】
前記従来の課題を解決するために、本発明の天井埋込形機器の据付装置は、垂下された吊りボルトに螺着する雌ねじ部を有すると共に雄ねじ部の先端に前記雄ねじ部の谷径より小さなボルト頭を有する上ボルトと、前記雄ねじ部に螺着する下ナットとを備え、天井埋込形機器の吊り金具を、前記上ボルトと前記下ナットにより固定吊持するようにしたもので、前記吊り金具の下側で、下ナットを固定しながら前記ボルト頭を操作する事により、前記上ボルトの締め付けが可能となると共に、前記ボルト頭の目視が可能となり、作業性が向上し施工時間の短縮ができることとなる。
【発明の効果】
【０００８】
本発明の天井埋込形機器の据付装置は、作業性が優れ施工時間を短縮することができる
。
【発明を実施するための最良の形態】
【０００９】
第１の発明は、垂下された吊りボルトに螺着する雌ねじ部を有すると共に雄ねじ部の先端に前記雄ねじ部の谷径より小さなボルト頭を有する上ボルトと、前記雄ねじ部に螺着する下ナットとを備え、天井埋込形機器の吊り金具を、前記上ボルトと前記下ナットにより固定吊持するようにしたもので、前記吊り金具の下側で、下ナットを固定しながら前記ボルト頭を操作する事により、前記上ボルトの締め付けが可能となると共に、前記ボルト頭の目視が可能となり、作業性が向上し施工時間の短縮ができることとなる。
【００１０】
第２の発明は、特に、第１の発明の雌ねじ部と雄ねじ部のねじ山ピッチを同一にしたもので、前記上ボルトを締める際、前記下ナットの回転を固定しながら操作すれば前記下ナットの高さは一定に保たれ、機器を所定の高さに維持することが容易なため、作業性が向上し施工時間を短縮することができる。
【００１１】
第３の発明は、特に、第１又は第２の発明の上ボルトの首下部に上ワッシャーを外れないように組み込んだもので、吊り金具の裏面側に下ワッシャーを使用する場合、吊ボルトに組んだ時、前記上ワッシャーが前記上ボルトの雄ねじ首下部に保持され前記下ワッシャーと重なる事がなく、機器を吊る際、前記上ワッシャーを手や冶具を用いて保持する必要がなくなり、作業性を向上し施工時間を短縮することができる。
【００１２】
第４の発明は、特に、第１又は第２の発明の上ボルトを、ねじ軸を通る面で２分割して構成するもので、前記上ボルトを前記吊りボルトの適切な位置に、ねじ込まずに直接組むことができるので、作業性を大幅に向上し施工時間を短縮することができる。
【００１３】
第５の発明は、特に、第４の発明の上ボルトの２分割された一方の合わせ面に凸部を設け、他方の合わせ面に前記凸部が結合する凹部を形成したもので、２分割された上ボルトを組む際、位置ずれがなくなり、作業性が向上し施工時間を短縮することができる。
【００１４】
第６の発明は、特に、第４の発明の上ボルトの２分割された両方の合わせ面を同一表面形状とし、ねじ軸を通り合わせ面と垂直をなす面に対し対称となる位置に、互いに結合可能な凸部と凹部を設けたもので、２分割構成の上ボルトの製作時に一種類の合わせ面形状の作製ですみ、コストの低減が可能となる。
【００１５】
第７の発明は、特に、第５又は第６の発明の凸部の高さを、上ボルトの雌ねじ部のねじ山の高さより高く設定したもので、上ボルトを組む際、吊りボルトのねじ山と上ボルトの雌ねじ部のねじ山との干渉が軽減され位置合わせが容易となり、作業性を向上し施工時間を短縮することとなる。
【００１６】
以下、本発明の実施の形態について、図面を参照しながら説明する。なお、この実施の形態によって本発明が限定されるものではない。
【００１７】
（実施の形態１）
図１は、本発明の第１の実施の形態における天井埋込形機器の据付装置の略正面図、図２は、同天井埋込形機器の上ボルトの部分断面図である。なお、従来例と同一部分については、同一符号を付してその説明を省略する。
【００１８】
図１において、天井埋込形機器１（以下「機器１」という）は、吊り金具２により、天井裏から吊り下げられた吊りボルト３に螺着された上ボルト８と、上ボルト８に螺着された下ナット９により、それぞれ上ワッシャー１０と下ワッシャー１１を介して、固定吊持
される。
【００１９】
図２は、上ボルト８の部分断面図を示すもので、上ボルト８は、吊りボルト３に螺着する雌ねじ部８ａと、外周に形成された雄ねじ部８ｂと、雄ねじ部８ｂの先端に設けられ、締め付け固定する際に使用するボルト頭８ｃを備え、ボルト頭８ｃの外径は雄ねじ部８ｂの谷の径より小さく、又雌ねじ部８ａと雄ねじ部８ｂのねじ山ピッチは同一である。
【００２０】
以上のように構成された天井埋込形機器の据付装置について、以下その動作、作用を説明する。
【００２１】
まず、吊りボルト３に上ボルト８を螺着し適当な位置に仮止めする。次に、上ワッシャー１０と下ワッシャー１１を上ボルト８の雄ねじ部８ｂ部に挿入し、下から下ナット９を螺着し、吊り金具２を掛ける際に支障の無い位置に仮止めする。
【００２２】
次に、吊り金具２を上ワッシャー１０と下ワッシャー１１の間に掛け機器１を吊った後、下ナット９で高さ調節を行う。高さ調節が完了したら、下ナット９が回転しないよう固定しながら、吊り金具２の下側でボルト頭８ｃを回し上ボルト８を締め付け機器１を固定する。
【００２３】
ここで、上ボルト８を締める際、下ナット９の回転を固定しながら操作すれば下ナット９の高さは一定に保たれ、機器１を所定の高さに容易に維持することができる
以上のように、本実施の形態においては、垂下げられた吊りボルト３に対し吊りボルト３に螺着する雌ねじ部８ａを具備した上ボルト８と、上ワッシャー１０と、下ナット９と、下ワッシャー１１を備え、上ボルト８の雄ねじ部８ｂの先端に雄ねじ部８ｂの谷の径より小さなボルト頭８ｃを備え、下ナット９が雄ねじ部８ｂと螺着し、機器１の吊り金具２を、上ボルト８と下ナット９により上ワッシャー１０と下ワッシャー１１を介して固定吊持するよう構成することにより、吊り金具２の下側でボルト頭８ｃを操作し、上ボルト８の締め付けができると共に、ボルト頭８ｃが容易に目視できるので、作業性を向上し施工時間を短縮することができる。
【００２４】
また、本実施の形態では雌ねじ部８ａと雄ねじ部８ｂのねじ山ピッチを同一とすることにより、上ボルト８を締める際、下ナット９の回転を固定しながらボルト頭８ｃを回し上ボルト８を締め付ければ下ナット９の高さは一定に保たれ、機器１を所定の高さに維持することが容易となり、作業性を向上し施工時間を短縮することができる。
【００２５】
また、本実施の形態の上ワッシャー１０を、上ボルト８の雄ねじ首下部に組み込み、外れないようにしておけば、吊り金具２を吊ボルトに掛ける際、ワッシャー１０が上ボルト８の首下部に保持され、下ワッシャー１１は下ナット９の上に落ちた状態となり、上ワッシャー１０と下ワッシャー１１が重なることがなくなり、機器１を吊る際、上ワッシャー１０を手や冶具を用いて保持する必要がなく、さらに作業性が向上し施工時間もより短縮することができる。
【００２６】
（実施の形態２）
図３は、本発明の第２の実施の形態の天井埋込形機器の据付装置の略正面図、図４は、同据付装置の上ボルトＡの正面図と側面図、図５は、同据付装置の上ボルトＢの正面図と側面図である。なお、従来例と同一部分については、同一符号を付してその説明を省略する。
【００２７】
本実施の形態は、上ボルト８をねじ軸を通る面で２分割し、上ボルトＡ８ｄと上ボルトＢ８ｅの２つで構成し、上ボルトＡ８ｄは、図４に示すように、上ボルトＢ８ｅと組み合
わされる合わせ面８ｆに複数の凸部８ｇを有している。凸部８ｇの高さＨは雌ねじ部８ａのねじ山高さｈより高く設定している。また、上ボルトＢ８ｅは、図５に示すように、上ボルトＡ８ｄと組み合わされる合わせ面８ｆに、凸部８ｇと結合する凹部８ｈを複数有している。
【００２８】
以上のように構成された天井埋込形機器の据付装置について、以下その動作、作用を説明する。
【００２９】
まず、上ボルトＡ８ｄと上ボルトＢ８ｅを吊りボルト３の適切な位置に、吊りボルト３をはさむ形で螺着する。上ボルトＡ８ｄと上ボルトＢ８ｅを組んだ際には、凸部８ｇと凹部８ｈが結合されるため、上下、左右方向で位置ずれが発生することはない。また、凸部８ｇと凹部８ｈをあわせる際には凸部８ｇの高さＨが上ボルト８の雌ねじ部８ａのねじ山高さｈより高く、吊りボルト３のねじ山と上ボルトＡ８ｄ、上ボルトＢ８ｅの雌ねじ部８ａのねじ山との干渉が軽減される。
【００３０】
以上のようにして、上ボルトＡ８ｄと上ボルトＢ８ｅを組み合わせる事により第１の実施の形態における上ボルト８が形成される。
【００３１】
機器１を吊りボルト３に固定吊持する方法は、第１の実施の形態と同一なので、説明を省略する。
【００３２】
以上のように、本実施の形態によれば、実施の形態１における上ボルト８を、上ボルトＡ８ｄと上ボルトＢ８ｅにねじ軸を通る面で２分割することにより、上ボルトＡ８ｄと上ボルトＢ８ｅで吊りボルト３をはさむ形で吊りボルト３の適切な位置に、ねじ込まずに直接組むことが可能となり、作業性を大幅に向上し、施工時間も短縮することができる。
【００３３】
また、本実施の形態では、上ボルトＡ８ｄの、上ボルトＢ８ｅと組み合わされる合わせ面８ｆに凸部８ｇを設け、上ボルトＢ８ｅの、上ボルトＡ８ｄと組み合わされる合わせ面８ｆに凸部８ｇと結合する凹部８ｈを設けることにより、上ボルトＡ８ｄと上ボルトＢ８ｅとを組む際、位置ずれがなくなり、作業性が向上し施工時間を短縮することができる。
【００３４】
また、本実施の形態では凸部８ｆの高さを前記上ボルト８の雌ねじ部８ａのねじ山高さより高くしたことにより、上ボルト８を組む際、吊りボルト３のねじ山と上ボルト８の雌ねじ部８ａのねじ山との干渉が軽減され位置合わせが容易となり、作業性を向上し施工時間を短縮することとなる。
【００３５】
また、本実施の形態の上ボルトＡ８ｄと上ボルトＢ８ｅとの合わせ面を、互いに同一表面形状とし、ねじ軸を通り合わせ面と垂直をなす面に対し対称となる位置に、互いに結合可能な凸部ｆと凹部ｇを設けた形状にすれば、特に上ボルトＡ８ｄ、上ボルトＢ８ｅの製造時に一種類の合わせ面形状の作製ですみ、コストの低減が可能となるものである。
【産業上の利用可能性】
【００３６】
以上のように、本発明にかかる天井埋込形機器の据付装置は、作業性に優れ施工時間も短縮することができるので、天井埋込型の空気調和機、換気装置、空気清浄機、音響機器など各種機器に適用できる。
【図面の簡単な説明】
【００３７】
【図１】本発明の実施の形態１における天井埋込形機器の据付装置の略正面図
【図２】同据付装置の上ボルトの部分断面図
【図３】本発明の実施の形態２における天井埋込形機器の据付装置の略正面図
【図４】（ａ）同据付装置の上ボルトＡの正面図、（ｂ）同上ボルトＡの側面図
【図５】（ａ）同据付装置の上ボルトＢの側面図、（ｂ）同上ボルトＢの正面図
【図６】従来の天井埋込形機器の据付装置の正面図
【符号の説明】
【００３８】
１    天井埋込形機器（機器）
２    吊り金具
３    吊りボルト
８    上ボルト
８ａ  雌ねじ部
８ｂ  雄ねじ部
８ｃ  ボルト頭
８ｄ  上ボルトＡ
８ｅ  上ボルトＢ
８ｆ  合わせ面
８ｇ  凸部
８ｈ  凹部
９    下ナット
１０    上ワッシャー
１１    下ワッシャー
【図１】
2006017172.tif 000003
【図２】
2006017172.tif 000004
【図３】
2006017172.tif 000005
【図４】
2006017172.tif 000006
【図５】
2006017172.tif 000007
【図６】
2006017172.tif 000008